(57)【要約】【課題】  従来のスノーボード用ビンディングはベースプレートに対してハイバックを支持するヒールカップを上下動することができないという欠点があった。【解決手段】  本発明のスノーボード用ビンディングはベースプレートと、上記ベースプレートに対して上下動自在にまた、前後上下動自在に固定せしめたヒールカップと、上記ヒールカップに設けたハイバックとよりなる。また、ベースプレートと、ヒールカップと、上記ヒールカップに設けたハイバックと、上記ベースプレートに設けた立ち上がり部と、上記立ち上がり部の後方部と上記ヒールカップの後方部とを固定する後方部固定手段と、上記立ち上がり部の前方部と上記ヒールカップの前方部とを固定する前方部固定手段とよりなり、上記後方部固定手段と上記前方部固定手段との少なくとも一つが上記立ち上がり部に対して上記ヒールカップを上下動自在に固定する手段である。【選択図】  図１
2005137580.tif 000002
【特許請求の範囲】
【請求項１】
ベースプレートと、上記ベースプレートに対して上下動自在に固定せしめたヒールカップと、上記ヒールカップに設けたハイバックとよりなるスノーボード用ビンディング。
【請求項２】
ベースプレートと、上記ベースプレートに対して前後及び上下動自在に固定せしめたヒールカップと、上記ヒールカップに設けたハイバックとよりなるスノーボード用ビンディング。
【請求項３】
ベースプレートと、ヒールカップと、上記ヒールカップに設けたハイバックと、上記ベースプレートに設けた立ち上がり部と、上記立ち上がり部の後方部と上記ヒールカップの後方部とを固定する後方部固定手段と、上記立ち上がり部の前方部と上記ヒールカップの前方部とを固定する前方部固定手段とよりなり、上記後方部固定手段と上記前方部固定手段との少なくとも一つが上記立ち上がり部に対して上記ヒールカップを上下動自在に固定する手段であることを特徴とするスノーボード用ビンディング。
【請求項４】
上記後方部固定手段と上記前方部固定手段との少なくとも一つが上記立ち上がり部に対して上記ヒールカップを前後方向移動自在に固定する手段であることを特徴とする請求項３記載のスノーボード用ビンディング。
【請求項５】
上記後方部固定手段及び上記前方部固定手段の少なくとも一つが、上記立ち上がり部及び上記ヒールカップのいずれか一方に設けた上下方向に延びる長穴と、この長穴に嵌合される偏心した位置にネジ貫通孔を有するワッシャーと、上記立ち上がり部及び上記ヒールカップのいずれか他方に設けたネジ貫通孔と、上記貫通孔に挿入されるネジと、上記ネジに螺合されるナットとよりなることを特徴とする請求項３記載のスノーボード用ビンディング。
【請求項６】
上記立ち上がり部及び上記ヒールカップのいずれか他方に設けたネジ貫通孔が前後方向に複数隣接されていることを特徴とする請求項５記載のスノーボード用ビンディング。
【請求項７】
上記後方部固定手段は、上記立ち上がり部及び上記ヒールカップのいずれか一方に設けた上下方向に延びる長穴と、この長穴に嵌合する偏心した位置にネジ貫通孔を有するワッシャーと、上記立ち上がり部及び上記ヒールカップのいずれか他方に設けた前後方向に複数隣接するネジ貫通孔と、上記貫通孔に挿入されるネジと、上記ネジに螺合されるナットとよりなり、上記前方部固定手段は、上記立ち上がり部及び上記ヒールカップのいずれか一方に設けた前後方向に延びる長穴と、この長穴に嵌合する偏心した位置にネジ貫通孔を有するワッシャーと、上記立ち上がり部及び上記ヒールカップのいずれか他方に設けた前後方向に延びる長孔と、上記貫通孔及び長孔に挿入されるネジと、上記ネジに螺合されるナットとよりなることを特徴とする請求項３記載のスノーボード用ビンディング。
【発明の詳細な説明】
【技術分野】
【０００１】
本発明はスノーボード用ビンディング、特にベースプレートに対してハイバックの高さを調節できるスノーボード用ビンディングに関するものである。
【背景技術】
【０００２】
従来、個人差、ブーツの種類・好みによってスノーボード用ビンディングのベースプレートに対してハイバックの取付位置を前後方向に移動自在ならしめたものは知られている（特許文献１）。
【特許文献１】特開平９−８４９２１号公報（図２）
【０００３】
また、ハイバックの上部に上下動自在な補助ハイバックを設け、高さを調節するようにしたものも知られている。
【発明の開示】
【発明が解決しようとする課題】
【０００４】
然しながら、ベースプレートに対してハイバックの高さ方向の長さを大きくしたものではハイバックの長さが長くなる分ハイバックの後ろ方向への曲げ強度や、ホールド性を確保できないという欠点があった。
【０００５】
本発明は上記のような欠点を除くようにしたものである。
【課題を解決するための手段】
【０００６】
本発明のスノーボード用ビンディングは、ベースプレートと、上記ベースプレートに対して上下動自在に固定せしめたヒールカップと、上記ヒールカップに設けたハイバックとよりなることを特徴とする。
【０００７】
また、本発明のスノーボード用ビンディングは、ベースプレートと、上記ベースプレートに対して前後及び上下動自在に固定せしめたヒールカップと、上記ヒールカップに設けたハイバックとよりなることを特徴とする。
【０００８】
また、本発明のスノーボード用ビンディングは、ベースプレートと、ヒールカップと、上記ヒールカップに設けたハイバックと、上記ベースプレートに設けた立ち上がり部と、上記立ち上がり部の後方部と上記ヒールカップの後方部とを固定する後方部固定手段と、上記立ち上がり部の前方部と上記ヒールカップの前方部とを固定する前方部固定手段とよりなり、上記後方部固定手段と上記前方部固定手段との少なくとも一つが上記立ち上がり部に対して上記ヒールカップを上下動自在に固定する手段であることを特徴とする。
【０００９】
上記後方部固定手段と上記前方部固定手段との少なくとも一つが上記立ち上がり部に対して上記ヒールカップを前後方向移動自在に固定する手段であることを特徴とする。
【００１０】
上記後方部固定手段及び上記前方部固定手段の少なくとも一つが、上記立ち上がり部及び上記ヒールカップのいずれか一方に設けた上下方向に延びる長穴と、この長穴に嵌合される偏心した位置にネジ貫通孔を有するワッシャーと、上記立ち上がり部及び上記ヒールカップのいずれか他方に設けたネジ貫通孔と、上記貫通孔に挿入されるネジと、上記ネジに螺合されるナットとよりなることを特徴とする。
【００１１】
上記立ち上がり部及び上記ヒールカップのいずれか他方に設けたネジ貫通孔が前後方向に複数隣接されていることを特徴とする。
【００１２】
また、上記後方部固定手段が、上記立ち上がり部及び上記ヒールカップのいずれか一方に設けた上下方向に延びる長穴と、この長穴に嵌合する偏心した位置にネジ貫通孔を有するワッシャーと、上記立ち上がり部及び上記ヒールカップのいずれか他方に設けた前後方向に複数隣接するネジ貫通孔と、上記貫通孔に挿入されるネジと、上記ネジに螺合されるナットとよりなり、上記前方部固定手段は、上記立ち上がり部及び上記ヒールカップのいずれか一方に設けた前後方向に延びる長穴と、この長穴に嵌合する偏心した位置にネジ貫通孔を有するワッシャーと、上記立ち上がり部及び上記ヒールカップのいずれか他方に設けた前後方向に延びる長孔と、上記貫通孔及び長孔に挿入されるネジと、上記ネジに螺合されるナットとよりなることを特徴とする。
【発明の効果】
【００１３】
本発明のスノーボード用ビンディングによれば、ハイバックを保持するヒールカップをベースプレートに対して上下動できるので、ブーツの種類・好みによってハイバックの位置を上下動自在ならしめることができ、ヒールカップ自体をベースプレートに対して上下動せしめるので、ハイバック自体の長さに変わりはなく、従ってハイバックの後ろ方向への曲げ強度、ホールド性を確保できるようになる。
【発明を実施するための最良の形態】
【００１４】
以下図面によって本発明の実施例を説明する。
【実施例１】
【００１５】
本発明のスノーボード用ビンディングにおいては、図１及び図２に示すように、スノーボード本体（図示せず）に固定されるベースプレート１の両側立ち上がり部２の頂面に前後方向に伸びる溝３を設ける。また、上記溝３を挟んだ上記立ち上がり部２の外側部分２ａと内側部分２ｂの後方部に夫々斜め後方上方に延びる長穴４ａ，４ｂを形成し、この外側の長穴４ａに合致する、偏心した位置にネジ貫通孔５を有するワッシャー６と、上記ネジ貫通孔５に貫通するネジ７と、上記内側の長穴４ｂに合致する、偏心した位置に上記ネジ７の螺合部８を有するナット９とを用いる。
【００１６】
また、上記立ち上がり部２の外側部分２ａと内側部分２ｂの中央部に夫々貫通孔１０ａ，１０ｂを設け、上記外側部分２ａの貫通孔１０ａを貫通するネジ１１と、上記ネジ１１の螺合部１２を有し、上記内側部分２ｂの貫通孔１０ｂに挿入されるナット１３とを用いる。
【００１７】
また、上記ベースプレート１の両側立ち上がり部２の溝３の後方部に、ヒールカップ１４の両側下部１５が挿入されるようにし、上記ヒールカップ１４の両側下部１５の前方部に、上記ネジ１１が貫通する前後方向に伸びる長孔１６形成し、上記ヒールカップ１４の両側下部１５の後方部に、前後方向に複数隣接する上記ネジ７の貫通孔１７を形成する。
【００１８】
なお、１８はブーツ（図示せず）の後面に対接されるよう上記ヒールカップ１４に連結されたハイバック、１９は上記ヒールカップ１４に対する上記ハイバック１８の前傾調節用アジャスター、２０は上記ベースプレート１の前部に設けたブーツ爪先部固定用のバンド、２１は上記ヒールカップ１４に設けたブーツ足首部固定用のバンドである。
【００１９】
本発明のスノーボード用ビンディングは上記のような構成であるから、通常は図２及び図３に示すように、上記ワッシャー６及び上記ナット９を上記ネジ貫通孔５と上記ナット９の螺合部８が夫々長穴４ａ，４ｂの下側になる位置で、上記長穴４ａ，４ｂに嵌合せしめ、上記ネジ７により上記ヒールカップ１４を上記ベースプレート１の立ち上がり部２に固定する。
【００２０】
この状態から、上記ネジ７と上記ワッシャー６と上記ナット９とを取り外し、図４及び図５に示すように、上記ワッシャー６及び上記ナット９を上記ネジ貫通孔５と上記ナット９の螺合部８が夫々上側になる位置で上記長穴４ａ，４ｂに嵌合せしめ、上記ネジ７により上記ヒールカップ１４を上記ベースプレート１の立ち上がり部２に固定せしめれば、上記ヒールカップ１４、従ってハイバック１８の高さを上記ベースプレート１に対して高くすることができる。
【００２１】
また、上記ネジ７が貫通する上記ヒールカップ１４の貫通孔１７の位置を変えることにより上記ベースプレート１に対して上記ヒールカップ１４の位置を前後方向に変えることができるようになる。
【００２２】
なお、図３に示すように、上記立ち上がり部２の外側部分２ａ，内側部分２ｂの長穴４ａ，長穴４ｂに段部２２ａ，２２ｂを設け、この段部２２ａ，２２ｂにワッシャー６、ナット９を嵌合せしめるようにしたが、図６に示すように段部２２ａ，２２ｂは設けなくてもよい。
【００２３】
また、上記ワッシャー６の外面にはネジ７の頭部挿入用のくぼみ部２３を設けてネジ７の頭部が突出しないようにするのが好ましい。
【実施例２】
【００２４】
本発明のスノーボード用ビンディングの第２の実施例においては図７に示すように、上記第１実施例のスノーボード用ビンディングのベースプレート１の立ち上がり部２の頂面に溝３を設けず、上記立ち上がり部２の内側に上記ヒールカップ１４の両側下部１５を固定するようにする。即ち、上記第１実施例の立ち上がり部２の後方部及び中央部に長穴４ａ，４ｂ、貫通孔１０ａ，１０ｂを設ける代わりに、上記立ち上がり部２の後方部と中央部に夫々上下方向に延びる長穴４，２４を設け、この長穴４，２４に、上記第１実施例におけるワッシャー６を夫々嵌合せしめて、上記ネジ７と上記ナット１３とにより、上記ヒールカップ１４を上記立ち上がり部２に固定せしめる。
【００２５】
この第２の実施例においては、上記後方部及び中央部のワッシャー６のネジ貫通孔５の位置を上下反転せしめて上記長穴４，２４に嵌合することにより、上記ベースプレート１に対して上記ヒールカップ１４を上下せしめることができる。
【実施例３】
【００２６】
図８は本発明のスノーボード用ビンディングの第３の実施例を示し、この実施例においては、図７に示す上記第２の実施例の長穴４，２４をベースプレート１の立ち上がり部２に設ける代わりに、これをヒールカップ１４の両側下部１５の後方部及び前方部に設け、上記第２の実施例の前後方向に延びる長孔１６と前後方向に複数隣接する貫通孔１７をヒールカップ１４の両側下部１５の前方部及び後方部に設ける代わりに、ベースプレート１の立ち上がり部２の中央部と後方部に設ける。
【００２７】
この実施例においても、第２の実施例と同様に、ワッシャー６のネジ貫通孔５の位置を上下反転せしめて上記長穴４，２４に嵌合することにより、上記ベースプレート１に対して上記ヒールカップ１４を上下せしめることができる。
【実施例４】
【００２８】
図９は本発明のスノーボード用ビンディングの第４の実施例を示し、この実施例においては、図７に示す上記第２の実施例の立ち上がり部２に長穴４，２４を設ける代わりに、上下方向に隣接する複数の貫通孔２５を設ける。
【００２９】
この実施例においては、ワッシャー６を用いることなく、ネジ７を貫通せしめる貫通孔２５の位置を変えることにより、ベースプレート１に対してヒールカップ１４を上下せしめることができる。
【実施例５】
【００３０】
図１０及び図１１は本発明のスノーボード用ビンディングの第５の実施例を示し、この実施例においては、図７に示す上記第２の実施例の立ち上がり部２に長穴４，２４を設ける代わりに、ネジ７が貫通する上下方向に延びる長孔２８を設け、長孔２８が位置する立ち上がり部２の裏面にギザ部２６を形成し、上記ヒールカップ１４の両側下部１５の表面に上記ギザ部２６に嵌合するギザ部２７を設ける。
【００３１】
この実施例においては、上記立ち上がり部２に対して上記ヒールカップ１４を所定の高さとし、上記立ち上がり部２のギザ部２６と上記ヒールカップ１４のギザ部２７とを互いに係合した状態でネジ７にナット１３を螺合せしめて締付ける。
【実施例６】
【００３２】
図１２は本発明のスノーボード用ビンディングの第６の実施例を示し、この実施例においては、図７に示す上記第２の実施例の立ち上がり部２の中央部に上下に延びる長穴２４を設ける代わりに、前後に延びる長穴２９を設け、同じく立ち上がり部２の後方部に上下に延びる長孔４を設ける代わりに斜め後方上方に延びる長穴３０を設ける。
【００３３】
この実施例においては、図１２に示すように、上記立ち上がり部２の後方部の長孔３０に嵌合されるワッシャー６をそのネジ貫通孔５が下側にくる位置とし、上記立ち上がり部２の中央部の長孔２９に嵌合されるワッシャー６をそのネジ貫通孔５が前方にくる位置とするが、この状態から、図１３に示すように上記ヒールカップ１４をベースプレート１より高くするため上記立ち上がり部２の後方部のワッシャー６を反転しネジ貫通孔５が上側にくる位置で固定する場合、上記ヒールカップ１４の前後方向に伸びる長孔２９内のワッシャー６はそのネジ貫通孔５が後方にくる位置とする。
【００３４】
これによりヒールカップ１４の両側部の前部分が短く、長孔１６の長さを長くできない場合でも、ヒールカップ１４をベースプレートに固定できるようになる。
【図面の簡単な説明】
【００３５】
【図１】本発明のスノーボード用ビンディングの第一の実施例の分解斜視図である。
【図２】本発明のスノーボード用ビンディングの第一の実施例の側面図である。
【図３】本発明のスノーボード用ビンディングの第一の実施例の要部の縦断正面図である。
【図４】本発明のスノーボード用ビンディングの第一の実施例の側面図である。
【図５】本発明のスノーボード用ビンディングの第一の実施例の要部の縦断正面図である。
【図６】本発明のスノーボード用ビンディングの第一の実施例の要部の縦断正面図である。
【図７】本発明のスノーボード用ビンディングの第二の実施例の分解斜視図である。
【図８】本発明のスノーボード用ビンディングの第三の実施例の分解斜視図である。
【図９】本発明のスノーボード用ビンディングの第四の実施例の分解斜視図である。
【図１０】本発明のスノーボード用ビンディングの第五の実施例の分解斜視図である。
【図１１】本発明のスノーボード用ビンディングの第五の実施例の要部の縦断正面図である。
【図１２】本発明のスノーボード用ビンディングの第六の実施例の側面図である。
【図１３】本発明のスノーボード用ビンディングの第六の実施例の側面図である。
【符号の説明】
【００３６】
１    ベースプレート
２    立ち上がり部
２ａ  外側部分
２ｂ  内側部分
３    溝
４    長穴
４ａ  長穴
４ｂ  長穴
５    貫通孔
６    ワッシャー
７    ネジ
８    螺合部
９    ナット
１０ａ  貫通孔
１０ｂ  貫通孔
１１    ネジ
１２    螺合部
１３    ナット
１４    ヒールカップ
１５    両側下部
１６    長孔
１７    貫通孔
１８    ハイバック
１９    前傾調節用アジャスター
２０    ブーツ爪先部固定用のバンド
２１    ブーツ足首部固定用のバンド
２２ａ  段部
２２ｂ  段部
２３    くぼみ部
２４    長穴
２５    貫通孔
２６    ギザ部
２７    ギザ部
２９    長穴
２８    長孔
３０    長穴
【図１】
2005137580.tif 000003
【図２】
2005137580.tif 000004
【図３】
2005137580.tif 000005
【図４】
2005137580.tif 000006
【図５】
2005137580.tif 000007
【図６】
2005137580.tif 000008
【図７】
2005137580.tif 000009
【図８】
2005137580.tif 000010
【図９】
2005137580.tif 000011
【図１０】
2005137580.tif 000012
【図１１】
2005137580.tif 000013
【図１２】
2005137580.tif 000014
【図１３】
2005137580.tif 000015